(57)【要約】【課題】  スケジュールの内容についての通知範囲が使用者の所望するように決定される留守番電話装置およびその制御方法を提供する。【解決手段】  携帯電話機は、不在着信時に、自動的にメールを生成することによって通話相手に対してメッセージを送信できる。送信されるメールの内容は、電話帳データでの通話相手に対する設定に基づいて変更される。具体的には、メールの内容は、そのときの携帯電話機の使用者のスケジュール（イベント）の内容、空き時間、または、イベントの内容や空き時間を含まない固定メッセージである。また、イベントの内容は、要約と当該要約より詳細な内容を含む本文を含む。そして、通話相手に対する設定に応じて、メールの内容は、要約のみを含むこともあれば、要約と本文の双方を含むこともある。【選択図】        図１
2006345409.tif 000002
【特許請求の範囲】
【請求項１】
留守番応答機能を有する電話装置であって、
電話番号情報と個人情報が関連付けられる電話帳データを記憶する電話帳データ記憶部と、
イベントごとの時間帯と内容が関連付けられるスケジュールデータを記憶するスケジュールデータ記憶部と、
前記個人情報とイベントに関する通知範囲が関連付けられる通知範囲データを記憶する通知範囲データ記憶部と、
不在着信時にメールデータを作成するメールデータ生成部と、
前記メールデータ生成部が作成したメールデータを送信するメール送信部とを含み、
前記メールデータ生成部は、前記作成するメールデータの宛先を通話相手とし、また、前記通話相手の電話番号情報に前記電話帳データにおいて関連付けられている個人情報を読込み、前記読込まれた個人情報に前記通知範囲データに関連付けられている通知範囲を読込み、そして、前記作成するメールデータの本文を前記スケジュールデータに含まれる不在着信時のイベントの内容の中の前記読込まれた通知範囲で規定される内容とする、留守番電話装置。
【請求項２】
前記イベントの内容は、要約と本文とを含み、
前記通知範囲は、前記要約のみの範囲と、前記要約と前記本文の双方の範囲を含む、請求項１に記載の留守番電話装置。
【請求項３】
前記スケジュールデータにおいて不在着信時以降にイベントが登録されていない時間帯の中で最も現在時刻に近い時間帯のデータとして、空き時間データを生成する空き時間データ生成部をさらに含み、
前記メールデータ生成部は、前記通話相手の電話番号情報に関連付けられている個人情報が所定の条件を満たす場合には、前記作成するメールデータの本文を前記空き時間データとする、請求項１に記載の留守番電話装置。
【請求項４】
固定メッセージのデータを記憶するメッセージ記憶部をさらに含み、
前記メールデータ生成部は、前記通話相手の電話番号情報に関連付けられている個人情報が特定の条件を満たす場合には、前記作成するメールデータの本文を前記固定メッセージとする、請求項１に記載の留守番電話装置。
【請求項５】
固定メッセージのデータを記憶するメッセージ記憶部をさらに含み、
前記スケジュールデータは、イベントごとに、通知の有無を特定する通知情報を含み、
前記メールデータ生成部は、前記スケジュールデータにおいて、不在着信時のイベントの前記通知情報が通知無しである場合には、前記作成するメールデータの本文を前記固定メッセージとする、請求項１に記載の留守番電話装置。
【請求項６】
前記電話帳データは、各前記電話番号情報に関連付けられた通信サービスを提供する企業を特定する情報であるキャリア情報と、前記留守番電話装置に関連付けられた前記キャリア情報とを含み、
前記メールデータ生成部は、前記留守番電話装置の前記キャリア情報と、通話相手の電話番号情報に関連付けられた前記キャリア情報とが同一である場合には、前記キャリア情報で特定される企業が提供するショートメールサービスを利用したメールデータを生成する、請求項１〜請求項５のいずれかに記載の留守番電話装置。
【請求項７】
留守番応答機能を有する電話装置の制御方法であって、
電話番号情報と個人情報が関連付けられる電話帳データを記憶するステップと、
イベントごとの時間帯と内容が関連付けられるスケジュールデータを記憶するステップと、
前記個人情報とイベントに関する通知範囲が関連付けられる通知範囲データを記憶するステップと、
不在着信時にメールデータを作成するステップと、
前記作成したメールデータを送信するステップとを含み、
前記メールデータを生成するステップは、
前記作成するメールデータの宛先を通話相手とするステップと、
前記通話相手の電話番号情報に前記電話帳データにおいて関連付けられている個人情報を読込むステップと、
前記読込まれた個人情報に前記通知範囲データに関連付けられている通知範囲を読込むステップと、
前記作成するメールデータの本文を前記スケジュールデータに含まれる不在着信時のイベントの内容の中の前記読込まれた通知範囲で規定される内容とするステップとを含む、留守番電話装置の制御方法。
【発明の詳細な説明】
【技術分野】
【０００１】
本発明は、留守番電話装置およびその制御方法に関し、特に、いわゆる留守番応答機能を有する留守番電話装置およびその制御方法に関する。
【背景技術】
【０００２】
従来から、電話の着信の際に使用者が応答できない場合、自動的に着信に応答してメッセージを流したり相手からのメッセージを録音したりする、いわゆる留守番応答機能を有する電話に関して、種々の技術が開示されてきた。
【０００３】
たとえば、特許文献１には、外部電話機から送信される操作信号に基づいて、留守番電話の応答メッセージを、使用者のスケジュール内容に対応したメッセージに設定する技術が開示されている。
【０００４】
また、特許文献２には、携帯端末装置において、複数のカテゴリのそれぞれに対応した応答メッセージと、当該カテゴリに分類されたスケジュールデータとを記憶されることにより、着信時のスケジュールのカテゴリに対応した応答メッセージを出力する技術が開示されている。
【特許文献１】特開平１１−１７８０２号公報
【特許文献２】特開２００４−６４２１８号公報
【発明の開示】
【発明が解決しようとする課題】
【０００５】
しかしながら、従来の技術では、スケジュールに基づいて、留守番応答メッセージが生成されるため、スケジュールの内容を相手に知らせたくない場合でも、スケジュールが通知されてしまうという問題があった。
【０００６】
本発明はかかる実情に鑑み考え出されたものであり、その目的は、スケジュールの内容についての通知範囲が使用者の所望するように決定される留守番電話装置およびその制御方法を提供することである。
【課題を解決するための手段】
【０００７】
本発明に従った留守番電話装置は、留守番応答機能を有する電話装置であって、電話番号情報と個人情報が関連付けられる電話帳データを記憶する電話帳データ記憶部と、イベントごとの時間帯と内容が関連付けられるスケジュールデータを記憶するスケジュールデータ記憶部と、前記個人情報とイベントに関する通知範囲が関連付けられる通知範囲データを記憶する通知範囲データ記憶部と、不在着信時にメールデータを作成するメールデータ生成部と、前記メールデータ生成部が作成したメールデータを送信するメール送信部とを含み、前記メールデータ生成部は、前記作成するメールデータの宛先を通話相手とし、また、前記通話相手の電話番号情報に前記電話帳データにおいて関連付けられている個人情報を読込み、前記読込まれた個人情報に前記通知範囲データに関連付けられている通知範囲を読込み、そして、前記作成するメールデータの本文を前記スケジュールデータに含まれる不在着信時のイベントの内容の中の前記読込まれた通知範囲で規定される内容とすることを特徴とする。
【０００８】
また、本発明に従った留守番電話装置は、前記イベントの内容は、要約と本文とを含み、前記通知範囲は、前記要約のみの範囲と、前記要約と前記本文の双方の範囲を含むことが好ましい。
【０００９】
また、本発明に従った留守番電話装置は、前記スケジュールデータにおいて不在着信時以降にイベントが登録されていない時間帯の中で最も現在時刻に近い時間帯のデータとして、空き時間データを生成する空き時間データ生成部をさらに含み、前記メールデータ生成部は、前記通話相手の電話番号情報に関連付けられている個人情報が所定の条件を満たす場合には、前記作成するメールデータの本文を前記空き時間データとすることが好ましい。
【００１０】
また、本発明に従った留守番電話装置は、固定メッセージのデータを記憶するメッセージ記憶部をさらに含み、前記メールデータ生成部は、前記通話相手の電話番号情報に関連付けられている個人情報が特定の条件を満たす場合には、前記作成するメールデータの本文を前記固定メッセージとすることが好ましい。
【００１１】
また、本発明に従った留守番電話装置は、固定メッセージのデータを記憶するメッセージ記憶部をさらに含み、前記スケジュールデータは、イベントごとに、通知の有無を特定する通知情報を含み、前記メールデータ生成部は、前記スケジュールデータにおいて、不在着信時のイベントの前記通知情報が通知無しである場合には、前記作成するメールデータの本文を前記固定メッセージとすることが好ましい。
【００１２】
また、本発明に従った留守番電話装置は、前記電話帳データでは、各前記電話番号情報に関連付けられた通信サービスを提供する企業を特定する情報であるキャリア情報と、前記留守番電話装置に関連付けられた前記キャリア情報とを含み、前記メールデータ生成部は、前記留守番電話装置の前記キャリア情報と、通話相手の電話番号情報に関連付けられた前記キャリア情報とが同一である場合には、前記キャリア情報で特定される企業が提供するショートメールサービスを利用したメールデータを生成することが好ましい。
【００１３】
本発明に従った留守番電話装置の制御方法は、留守番応答機能を有する電話装置の制御方法であって、電話番号情報と個人情報が関連付けられる電話帳データを記憶するステップと、イベントごとの時間帯と内容が関連付けられるスケジュールデータを記憶するステップと、前記個人情報とイベントに関する通知範囲が関連付けられる通知範囲データを記憶するステップと、不在着信時にメールデータを作成するステップと、前記作成したメールデータを送信するステップとを含み、前記メールデータを生成するステップは、前記作成するメールデータの宛先を通話相手とするステップと、前記通話相手の電話番号情報に前記電話帳データにおいて関連付けられている個人情報を読込むステップと、前記読込まれた個人情報に前記通知範囲データに関連付けられている通知範囲を読込むステップと、前記作成するメールデータの本文を前記スケジュールデータに含まれる不在着信時のイベントの内容の中の前記読込まれた通知範囲で規定される内容とするステップとを含むことを特徴とする。
【発明の効果】
【００１４】
本発明によれば、不在着信時に送信されるメールの内容が、スケジュールデータの中の、電話帳データとして登録された個人情報に対応した範囲とされる。
【００１５】
これにより、本発明の留守番電話装置では、スケジュールの内容についての通知範囲が、使用者が所望する態様に対応するように決定されることになる。
【発明を実施するための最良の形態】
【００１６】
以下、本発明の留守番電話装置の一実施の形態である携帯電話機について図面を参照して説明する。
【００１７】
図１は、本実施の形態の携帯電話機のブロック図である。
図１を参照して、携帯電話機は、データ送受信部１０１、画面表示部１０２、音声入力部１０３、音声出力部１０４、キー入力部１０５、タイマ部１０６、カレンダ／時計部１０７、制御部１０８、および、記憶部１０９を含む。
【００１８】
記憶部１０９は、プログラムデータ１１０、電話帳データ１１１、留守番応答メッセージデータ１１２、伝言メッセージデータ１１３、スケジュールデータ１１４、および、スケジュール通知範囲データ１１５を格納する。
【００１９】
データ送受信部１０１は、携帯電話機において、音声通話のために動作する部位である。具体的には、携帯電話機において、通話相手との間で接続が確立され音声による通話がなされる際、データ送受信部１０１は、音声入力部１０３を介して入力された音声を音声信号に変換し、当該音声信号を通話相手に送る。
【００２０】
また、データ送受信部１０１は、通話相手から送られてきた音声信号を音声に変換し、音声出力部１０４から出力させる。
【００２１】
また、データ送受信部１０１は、通話相手から当該通話相手の電話番号情報が送られてくる場合、当該電話番号情報を制御部１０８に出力する。
【００２２】
また、データ送受信部１０１は、メールの送受信を行なう機能を有する。
キー入力部１０５は、たとえば０〜９の数字を入力できるキーを含む、複数のキーから構成される。
【００２３】
制御部１０８は、データ送受信部１０１に、キー入力部１０５に入力された電話番号で特定される通話相手に対して発呼信号を送信させたりする。また、制御部１０８は、キー入力部１０５に対して入力された情報に基づいて、記憶部１０９に、電話帳データ１１１等の各種のデータを記憶させる。
【００２４】
タイマ部１０６は、計時動作を実行する。制御部１０８は、タイマ部１０６の計時する時刻を参照することができる。
【００２５】
カレンダ／時計部１０７は、カレンダのデータを格納している。制御部１０８は、カレンダ／時計部１０７を参照することにより、年月日や曜日の特定を行なう。
【００２６】
プログラムデータ１１０は、携帯電話機において制御部１０８が実行するプログラムのデータである。
【００２７】
電話帳データ１１１では、電話番号情報が、氏名や店の名称等の人や店を特定する情報に関連付けられている。また、電話帳データ１１１では、電話番号情報に関連付けて、電子メールのアドレス、キャリア情報、および、メッセージ番号が格納されている。キャリア情報とは、当該電話番号情報の通信サービスを提供する企業（電気通信事業者）を特定する情報である。メッセージ番号とは、不在着信時の応答として電話番号情報に対応する者に提供するメッセージの内容の範囲を特定する情報であり、後述するスケジュール通知範囲データ１１５において具体的な範囲と関連付けられている。
【００２８】
電話帳データ１１１は、ブロック単位でデータを管理される。図２および図３は、それぞれ１名分のブロック３１０，３２０を模式的に示す図である。
【００２９】
図２を参照して、ブロック３１０には、管理番号３１１と、氏名３１２と、電話番号３１３と、メールアドレス３１４と、キャリア情報３１５と、メッセージ番号３１６とが含まれる。管理番号３１１は、ブロックを管理するための固有の番号である。氏名３１２は、相手の氏名である。電話番号３１３は、相手の電話番号情報である。メールアドレス３１４は、相手の電子メールのアドレスである。キャリア情報３１５は、相手のキャリア情報である。そして、メッセージ番号３１６は、上記したメッセージ番号である。
【００３０】
また、図３を参照して、ブロック３２０にも、ブロック３１０と同様に、管理番号３２１と、氏名３２２と、電話番号３２３と、メールアドレス３２４と、キャリア情報３２５と、メッセージ番号３２６とが含まれる。
【００３１】
留守番応答メッセージデータ１１２は、不在着信時に応答するメッセージのデータであり、音声データと、テキストデータとを含む。なお、これらのデータは、予め１つまたは複数のパターンが記憶されているとともに、音声入力部１０３またはキー入力部１０５を介して入力されたデータを記憶することもできる。
【００３２】
伝言メッセージデータ１１３は、不在着信時に通話相手から入力された音声のデータである。なお、伝言メッセージデータ１１３では、そのように入力された音声データに、入力された時刻情報が付加されている。
【００３３】
スケジュールデータ１１４は、日時データ１１４Ａ、要約データ１１４Ｂ、本文データ１１４Ｃ、および、通知有無データ１１４Ｄを含む。スケジュールデータ１１４は、複数のイベントに関する情報を含む。図４に、スケジュールデータ１１４の一例を模式的に示す。
【００３４】
図４を参照して、スケジュールデータ１１４には、各イベントごとに、当該イベントの日時を示す日時データ１１４Ａと、各イベントの内容の要約である要約データ１１４Ｂと、内容の本文である本文データ１１４Ｃと、各イベントについての通知に対する許可の有無を示す通知有無データ１１４Ｄとが含まれる。日時データ１１４Ａは、各イベントの開始時刻と終了時刻を特定する情報を含む。通知有無データ１１４Ｄは、後述するショートメール作成処理や電子メール作成処理において利用される情報であり、イベントの内容を通話相手に通知するか否かについての情報である。図４では、通知するという情報が「○」で示され、通知しないという情報が「×」で示されている。
【００３５】
スケジュールデータ１１４は、キー入力部１０５を介して入力された情報に基づいて、または、データ送受信部１０１を介して入力された情報に基づいて、生成されて、記憶部１０９に記憶される。
【００３６】
スケジュール通知範囲データ１１５は、電話帳データ１１１に含まれるメッセージ番号と、スケジュールデータ１１４の中で不在着信時に通知する内容の範囲を特定する情報とを関連付けるデータである。図５に、スケジュール通知範囲データ１１５の一例を示す。
【００３７】
図５を参照して、スケジュール通知範囲データ１１５は、１〜４のメッセージ番号と、各メッセージ番号に関連付けられたスケジュールの通知範囲とを含む。
【００３８】
１のメッセージ番号には、イベントの要約と本文を含む通知範囲が関連付けられている。２のメッセージ番号には、イベントの要約のみを含む通知範囲が関連付けられている。３のメッセージ番号には、イベントの空き時間を含む通知範囲が関連付けられている。４のメッセージ番号には、イベントに関する具体的な情報を含まないメッセージが通知範囲として関連付けられている。
【００３９】
スケジュールの空き時間は、制御部１０８によって生成される情報である。具体的には、制御部１０８は、着信のあった時刻以降のスケジュールデータ１１４の各イベントの日時データをカレンダ／時計部１０７に格納されているカレンダに当てはめることによって、イベントが登録されていない時間帯の中で最も現在時刻に近い時間帯を空き時間とする。
【００４０】
また、スケジュールを含まないメッセージとは、予め留守番応答メッセージデータ１１２として格納されたテキストデータである。
【００４１】
図６は、図１の携帯電話機において、音声着信（メールの着信ではなく、音声通話の着信）があった場合であって、所定時間、当該携帯電話機に対して応答の操作がなされなかった場合に実行される不在着信時応答処理のフローチャートである。
【００４２】
不在着信時応答処理では、制御部１０８は、まずステップＳ１０で、メールでメッセージを送信することによって不在着信時の応答を行なうメッセージ応答処理を実行する。
【００４３】
そして、ステップＳ２０で、メッセージ応答処理においてメッセージを送信したか否かを判断し、送信した場合にはそのまま処理を終了させる。一方、送信していない場合には、ステップＳ３０以降の処理で、音声による応答を行なって、処理を終了させる。
【００４４】
具体的には、制御部１０８は、ステップＳ３０で回線を接続させ、ステップＳ３１で音声による応答を行ない、ステップＳ３２で通話相手から送信される音声を録音し、ステップＳ３３で回線を切断させて、処理を終了させる。なお、制御部１０８は、ステップＳ３２における音声の録音が所定時間継続されたことを条件として、ステップＳ３３で回線を切断させる。
【００４５】
なお、ステップＳ３１における応答に利用されるメッセージは、通話相手によって変更されても良い。たとえば、通話相手の電話番号が電話帳データ１１１に登録されている場合には、メッセージは、当該通話相手のメッセージ番号に応じたものとされる。たとえば通話相手のメッセージ番号が「２」である場合には、メッセージは、「ただいま○○○のために電話に出ることができません。発信音の後にメッセージをお願いします。」とされる。メッセージ中の「○○○」は、現在のイベントの要約の欄に記載された文字列（会議等）が音声化されたものである。
【００４６】
一方、通話相手の電話番号が電話帳データ１１１に登録されていない場合には、メッセージは、一般的な、たとえば、電話に出られない旨の説明とメッセージを残すことの要求を含むものとされる。メッセージの具体例としては、「ただいま電話に出ることができません。発信音の後にメッセージをお願いします。」が挙げられる。
【００４７】
ここで、ステップＳ１０のメッセージ応答処理について、当該処理のサブルーチンのフローチャートである図７を参照して詳細に説明する。
【００４８】
図７を参照して、メッセージ応答処理では、制御部１０８は、ステップＳ１１０で、相手先電話番号の通知の有無を確認する。そして、通知がある場合には、ステップＳ１２０で、電話帳データ１１１から相手先電話番号を検索する。一方、通知が無い場合には、処理をリターンさせる。
【００４９】
そして、制御部１０８は、ステップＳ１２０で、電話帳データ１１１において、ステップＳ１１０で通知された相手先電話番号が登録されているか否かを確認する。そして、電話帳データ１１１に登録されていれば、ステップＳ１３０に処理を進め、登録されていなければ、そのまま処理をリターンさせる。
【００５０】
ステップＳ１３０では、制御部１０８は、電話帳データ１１１において、ステップＳ１１０で通知された相手先電話番号に、電子メールのアドレスが関連付けられているかどうかを確認する。そして、電子メールのアドレスが関連付けられている場合にはステップＳ１８０に処理を進め、関連付けられていない場合にはステップＳ１４０に処理を進める。
【００５１】
ステップＳ１４０では、制御部１０８は、電話帳データ１１１において、ステップＳ１１０で通知された相手先電話番号にキャリア情報が関連付けられているかどうかを確認する。そして、制御部１０８は、キャリア情報が関連付けられている場合にはステップＳ１５０に処理を進め、キャリア情報が関連付けられていない場合には、そのまま処理を終了させる。
【００５２】
ステップＳ１５０では、制御部１０８は、相手先電話番号に関連付けられたキャリア情報と自機のキャリア情報を比較し、同一であれば処理をステップＳ１６０へ進め、キャリア情報が異なる場合には、そのまま処理を終了する。自機のキャリア情報は、たとえば電話帳データ１１１に格納される。
【００５３】
ステップＳ１６０では、制御部１０８は、キャリアが提供するショートメッセージサービスを利用するメール（ショートメール）のデータを作成する。ここで、ステップＳ１６０におけるショートメール作成処理の内容を、当該処理のサブルーチンのフローチャートである図８を参照して詳細に説明する。
【００５４】
図８を参照して、ショートメール作成処理では、制御部１０８は、まずステップＳ１６１で、ショートメールの宛先を決定する。ショートメールの宛先は、ステップＳ１１０で通知された相手先電話番号である。
【００５５】
次に、制御部１０８は、ステップＳ１６２で、スケジュールデータ１１４を参照することにより、携帯電話機の使用者の現在のイベントの通知有無データ１１４Ｄを確認し、通知有り（図４中で「○」）とされている場合にはステップＳ１６３へ、通知無し（図４中で「×」）とされている場合にはステップＳ１６７へ、それぞれ処理を進める。なお、制御部１０８は、タイマ部１０６を参照することによって現在の時刻を読込み、スケジュールデータ１１４内の日時データ１１４Ａの中で現在の時刻を含むイベントを検索することによって、携帯電話機の使用者の現在のイベントを決定する。
【００５６】
ステップＳ１６７では、制御部１０８は、留守番応答メッセージデータ１１２の中の固定メッセージ（たとえば「現在、電話に出られません。」等）を読込み、ショートメールの本文とすることによってショートメールを作成して、処理をリターンさせる。
【００５７】
一方、ステップＳ１６３では、電話帳データ１１１を参照することにより、ステップＳ１１０で通知された相手先電話番号に対応するメッセージ番号として「４」が格納されているか否かを判断し、そうであればステップＳ１６７へ、そうでなければステップＳ１６４へ、それぞれ処理を進める。
【００５８】
ステップＳ１６４では、制御部１０８は、ステップＳ１１０で通知された相手先電話番号に対応するメッセージ番号を読込み、それに対応したイベントの通知範囲を決定する。
【００５９】
次に、ステップＳ１６５で、制御部１０８は、スケジュールデータ１１４に基づいて、ステップＳ１６４で決定した通知範囲に対応した通知内容を生成する。たとえば、図２に示されるように、通話相手に対応するメッセージ番号として「１」が格納されている場合には、制御部１０８は、使用者の現在のイベントの要約データ１１４Ｂと内容データ１１４Ｃを読込む。また、図３に示されるように、通話相手に対応するメッセージ番号として「２」が格納されている場合には、制御部１０８は、使用者の現在のイベントの要約データ１１４Ｂを読込む。また、通話相手に対応するメッセージ番号として「３」が格納されている場合には、制御部１０８は、上記したように空き時間の情報を生成する。
【００６０】
そして、ステップＳ１６６で、制御部１０８は、ステップＳ１６５で生成した通知内容をひな型メッセージと合成することによってショートメールを生成し、処理をリターンさせる。
【００６１】
ひな型メッセージとは、留守番応答メッセージデータ１１２に含まれるものであり、メッセージ番号の「１」〜「３」に対応したものが含まれる。
【００６２】
メッセージ番号「１」に対応するひな型メッセージとしては、たとえば「ただいま、Ｘ（Ｙ）のため、電話に出ることができません。」というものが挙げられる。ひな型メッセージにおいて、ＸはステップＳ１６５で読込んだ要約データ１１４Ｂが挿入される部分であり、Ｙは同じく内容データ１１４Ｃが挿入される部分である。
【００６３】
また、メッセージ番号「２」に対応するひな型メッセージとしては、たとえば「ただいま、Ｘのため、電話に出ることができません。」というものが挙げられる。ひな型メッセージにおいて、ＸはステップＳ１６５で読込んだ要約データ１１４Ｂが挿入される部分である。
【００６４】
また、メッセージ番号「３」に対応するひな型メッセージとしては、たとえば「ただいま、電話に出ることができません。Ｚにおかけ直して下さい。」というものが挙げられる。ひな型メッセージにおいて、ＺはステップＳ１６５で作成した空き時間が挿入される部分である。
【００６５】
再度図７を参照して、ステップＳ１６０でショートメールのデータを作成した後、制御部１０８は、ステップＳ１７１で回線を接続させ、ステップＳ１７２で音声応答を行ない、ステップＳ１７３で通話相手から送信される音声を録音し、ステップＳ１７４で回線を切断した後、ステップＳ１７５でショートメールを送信して、処理をリターンさせる。なお、ステップＳ１７２における音声応答としては、電話に出ることができないこと、通話終了後にメールが送信されること、および、メッセージを残してもらうことを依頼することを通知するものが考えられる。具体例としては、「ただいま電話に出ることができません。詳細は、通話後メールにて通知します。発信音の後にメッセージをお願いします。」が挙げられる。
【００６６】
一方、ステップＳ１８０では、制御部１０８は、電子メールのデータを作成する。
なお、ここで生成される電子メールのデータにおいて、宛先はステップＳ１１０で通知された相手先電話番号に関連付けられた電子メールアドレスである。
【００６７】
また、当該電子メールの本文は、携帯電話機の使用者の現在のイベントの通知有無データ１１４Ｄが通知無しである場合、または、相手先電話番号に対応したメッセージ番号として「４」が格納されている場合には、留守番応答メッセージデータ１１２の中の固定メッージ（たとえば「現在、電話に出られません。」等）とされる。これ以外の場合には、メッセージ番号に対応した内容が、当該電子メールの本文とされる。
【００６８】
具体的には、制御部１０８は、相手先電話番号に対応するメッセージ番号に対応したイベントの通知範囲を決定し、この通知範囲に対応した通知内容を生成し、そして、生成した通知内容をひな型メッセージと合成することによって電子メールを生成する。
【００６９】
そして、制御部１０８は、ステップＳ１９１で回線を接続させ、ステップＳ１９２で音声応答を行ない、ステップＳ１９３で通話相手から送信される音声を録音し、ステップＳ１９４で回線を切断した後、ステップＳ１９５で電子メールを送信して、処理をリターンさせる。なお、ステップＳ１９２における音声応答としては、ステップＳ１７２における音声応答と同様のものが考えられる。
【００７０】
以上説明した本実施の形態では、携帯電話機の不在着信時に、自動的にメールを生成することによって通話相手に対してメッセージを送信することができる。
【００７１】
なお、本実施の形態では、送信されるメールの内容（メールの本文）は、通話相手に対するメッセージ番号の設定に基づいて変更される。具体的には、メールの内容は、そのときの携帯電話機の使用者のスケジュール（イベント）の内容、空き時間、または、イベントの内容や空き時間を含まない固定メッセージである。また、本実施の形態の携帯電話機では、イベントの内容として、要約と当該要約より詳細な内容を含む本文とが格納されており、そして、上記のメールの内容は、メッセージ番号の設定に応じて、要約のみを含むこともあれば、要約と本文の双方を含むこともある。これにより、不在着信時に、通話相手によって、スケジュールの内容を伝えるかどうかを変更できる。
【００７２】
また、上記のようなメールの内容を、イベントごとに決定することもできる。具体的には、スケジュールデータ１１４が、各イベントについて通知をするかどうかの情報（通知有無データ１１４Ｄ）を含み、この情報に基づいて、上記したメールの本文にイベントの内容を含めるか否かが決定される。これにより、不在着信時に、その時点でのイベントごとに、スケジュールの内容を伝えるかどうかを変更できる。
【００７３】
また、本実施の形態では、携帯電話機において、電話帳データ１１１において、自機のキャリア情報と各電話番号情報に対応したキャリア情報とが格納されているため、上記したようなメールを送信する際に、携帯電話機のキャリアが提供するショートメールサービスを利用することもできる。これにより、電話帳データ１１１において電子メールアドレスを格納していない相手に対しても、上記のようなメールを送信できる。
【００７４】
また、本実施の形態では、携帯電話機において、スケジュールデータ１１４に基づいて、使用者の空き時間情報を生成し、不在着信時に通話相手に送信することができる。
【００７５】
以上説明した本実施の形態では、留守番電話装置の一例として携帯電話機を挙げたが、本発明はこれに限定されるものではない。電話機能、留守番応答機能、および、メール送信機能を有する装置であれば、いかなる装置に適用することも可能である。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】本発明の留守番電話装置の一実施の形態である携帯電話機の構成を概略的に示す図である。
【図２】図１の電話帳データを構成する１名分のブロックのデータを模式的に示す図である。
【図３】図１の電話帳データを構成する１名分のブロックのデータを模式的に示す図である。
【図４】図１のスケジュールデータの一例を模式的に示す図である。
【図５】図１のスケジュール通知範囲データの一例を模式的に示す図である。
【図６】図１の携帯電話機において制御部が実行する不在着信時応答処理のフローチャートである。
【図７】図６のメッセージ応答処理のサブルーチンのフローチャートである。
【図８】図７のショートメール生成処理のサブルーチンのフローチャートである。
【符号の説明】
【００７８】
１０１  データ送受信部、１０２  画面表示部、１０３  音声入力部、１０４  音声出力部、１０５  キー入力部、１０６  タイマ部、１０７  カレンダ／時計部、１０８  制御部、１０９  記憶部、１１０  プログラムデータ、１１１  電話帳データ、１１２  留守番応答メッセージデータ、１１３  伝言メッセージデータ、１１４  スケジュールデータ、１１４Ａ  日時データ、１１４Ｂ  要約データ、１１４Ｃ  本文データ、１１４Ｄ  通知有無データ、１１５  スケジュール通知範囲データ。
【図１】
2006345409.tif 000003
【図２】
2006345409.tif 000004
【図３】
2006345409.tif 000005
【図４】
2006345409.tif 000006
【図５】
2006345409.tif 000007
【図６】
2006345409.tif 000008
【図７】
2006345409.tif 000009
【図８】
2006345409.tif 000010